(57)【要約】【課題】  組み立てが容易で破損しにくい箱を提供する【解決手段】  上下に開口を有する矩形枠状の本体部２の一方の開口の開口縁８ａ、８ｂに連ねてフラップ１６ａ、１６ｂが形成され、一方の開口の開口縁１２ａ、１２ｂに連ねてフラップ２２ａ、２２ｂが形成されている。フラップ１６ａ、１６ｂの開口縁１２ａ、１２ｂ側の端部近傍に湾曲状差し込み孔１８ａ乃至１８ｄが設けられ、これらは、一端部がフラップ１６ａ、１６ｂの開口縁８ａ、８ｂ側に位置し、他端部がフラップ１６ａ、１６ｂの先端側に位置し、開口縁１２ａ、１２ｂ側に凹に湾曲している。これら差し込み孔１８ａ乃至１８ｄの他端側の開口縁部１２ａ、１２ｂとは反対側の縁部に係止部２０ａ乃至２０ｄが設けられ、これらは開口縁部８ａ、８ｂ側に向かってほぼ直線状に伸びている。フラップ２２ａ、２２ｂをフラップ１６ａ、１６ｂ上に重ねた状態において、フラップ２２ａ、２２ｂの開口縁１２ａ、１２ｂと反対側の縁に、各係止孔２０ａ乃至２０ｄに係合するように切欠２４ａ乃至２４ｄが設けられている。【選択図】        図１
2011121620.tif 000002
【特許請求の範囲】
【請求項１】
上下にそれぞれ矩形の２つの開口を有し、これら各開口は、互いに平行な２つの第１の開口縁と、これら２つの第１の開口縁と直交し、互いに平行な２つの第２の開口縁とを有する本体部と、
前記２つの開口の一方の前記２つの第１の開口縁にそれぞれ連なり、第１の開口縁に沿って前記一方の開口側に折り曲げられて、前記一方の開口を閉じる２つの矩形状の第１のフラップと、
前記一方の開口において前記２つの第２の開口縁にそれぞれ連なり、第２の開口縁に沿って前記一方の開口側に折り曲げられて、前記２つの第１のフラップの上側に重なるほぼ矩形状の２つの第２のフラップと、
前記各第１のフラップの前記各第２の開口縁側の端部近傍にそれぞれ設けられ、一端部が第１のフラップの第１の開口縁側に位置し、他端部が第１の開口縁側と反対側に位置し、前記各第２の開口縁側に凹に湾曲し、前記各第２のフラップを前記２つの第１のフラップの上に重ねたとき、前記２つの第２のフラップの第２の開口縁とは反対側の端部の両端が、それぞれ挿入される合計４つの湾曲状差し込み孔と、
これら湾曲状差し込み孔の前記他端側の第２の開口縁部とは反対側の縁部に設けられ、前記第１の開口縁部側に向かってほぼ直線状に伸びた合計４つの係止孔と、
前記各第２のフラップを前記２つの第１のフラップの上に重ねた状態において、前記第２のフラップの第２の開口縁と反対側の縁における前記各係止孔に対応する位置に、前記各係止孔に係合するように設けた合計４つの第１の切欠とを、
具備する箱。
【請求項２】
請求項１記載の箱において、前記各第２のフラップを前記２つの第１のフラップの上に重ねた状態の前記各第２のフラップの前記第１の開口縁側に縁部における前記４つの湾曲状差し込み孔の一端部に対応する位置に、前記各湾曲状差し込み孔の一端部に係合する合計４つの第２の切欠を設けた箱。
【請求項３】
請求項１または２記載の箱において、前記各第２のフラップの第２の開口縁とは反対側の端部の両端が、前記４つの湾曲状差し込み孔に対応して湾曲している箱。
【発明の詳細な説明】
【技術分野】
【０００１】
本発明は、箱に関し、特に、隣接する２つのフラップのうち一方を他方に差し込んで固定するものに関する。
【背景技術】
【０００２】
従来、上記のようなフラップを備えた箱には、例えば特許文献１に開示されているものがある。特許文献１に開示されている技術では、段ボール箱の隣接する２つのフラップの一方に凸字状の切り込みを形成して、差し込み口とする。この一方のフラップを折り曲げた状態で、その上に隣接する他方のフラップを重ねたとき、凸字状の切り込みに対応する位置に、切り込みに対応する大きさの凸字状の差し込み部を形成するように、他方のフラップに２つの切り込みを形成してある。一方のフラップを折り曲げて、その上に他方のフラップを折り曲げて重ね、凸字状の差し込み部を凸字状の差し込み口に挿入し、互いの肩部を係合させて、２つのフラップを固定している。
【先行技術文献】
【特許文献】
【０００３】
【特許文献１】特開２００７−２２５６２号公報
【発明の概要】
【発明が解決しようとする課題】
【０００４】
特許文献１の箱では、差し込み口に差し込み部を差し込む際に、差し込み部を折り曲げて差し込まねばならず、差し込み作業を円滑に行うことができなかった。また、差し込んだ後は、差し込み口と差し込み部との両肩部の係合によって固定されているので、箱の内部に重量物を収容した場合、この係合している部分に重量が集中し、破損しやすくなる。
【０００５】
本発明は、組み立てが容易で且つ破損しにくい箱を提供することを目的とする。
【課題を解決するための手段】
【０００６】
本発明の一態様の箱は、本体部を有している。この本体部は、上下にそれぞれ矩形の開口を有する枠状のもので、例えば段ボールのような紙製である。この本体部の上下２つの開口は、互いに平行な２つの第１の開口縁と、これら２つの第１の開口縁と直交し、互いに平行な２つの第２の開口縁とを有している。２つの開口のうち一方の開口の第１開口縁にそれぞれ連なって、２つの矩形状の第１のフラップが形成されている。これら第１のフラップは、第１開口縁に沿って一方の開口側に折り曲げられることによって、前記一方の開口を閉じる。前記一方の開口において２つの第２の開口縁にそれぞれ連なって、ほぼ矩形状の２つの第２のフラップが形成されている。これら第２のフラップは、第２の開口縁に沿って記一方の開口側に折り曲げられて、２つの第１のフラップの上側に重なる。各第１のフラップの各第２の開口縁側の端部近傍にそれぞれ合計４つの湾曲状差し込み孔が設けられている。これら４つの湾曲状差し込み孔は、一端部が第１のフラップの第１の開口縁側に位置し、他端部が第１の開口縁側と反対側に位置し、前記各第２の開口縁側に凹に湾曲している。前記各第２のフラップを前記２つの第１のフラップの上に重ねたとき、２つの第２のフラップの第２の開口縁とは反対側の端部の両端が、それぞれ４つの湾曲状差し込み孔に挿入される。これら湾曲状差し込み孔の前記他端側の第２の開口縁部とは反対側の縁部に、前記第１の開口縁部側に向かってほぼ直線状に伸びた合計４つの係止孔が設けられている。各第２のフラップを２つの第１のフラップの上に重ねた状態において、各第２のフラップの第２の開口縁と反対側の縁における各係止孔に対応する位置に、各係止孔に係合するように合計４つの第１の切欠が設けられている。
【０００７】
このように構成された箱では、湾曲状の差し込み口に、第２のフラップの両端の先端を挿入するだけでよいので、組み立てが容易に行える。更に、第２のフラップを差し込み口に挿入した後には、第２のフラップの両端の先端の上面が、第１のフラップの下面に面接触しているので、両者の摩擦によって強固に固定され、自動的に第１のフラップに対する第２のフラップの固定が解除されることがない。しかも、各係止孔に第１の切欠がそれぞれ係合しているので、より第２のフラップの固定が解除されることがない。箱の内部に重量物を収容した場合でも、第１及び第２のフラップの面接触している部分全体に重量が係り、特定の箇所だけに重量がかからないので、破損しにくい。
【０００８】
各第２のフラップを２つの第１のフラップの上に重ねた状態の各第２のフラップの第１の開口縁側に縁部における４つの湾曲状差し込み孔の一端部に対応する位置に、各湾曲状差し込み孔の一端部に係合する合計４つの第２の切欠を設けることもできる。
【０００９】
このように構成すると、各湾曲状差し込み孔の一端部側でも第２のフラップが第１のフラップに係合するので、更に第２のフラップの固定が解除されることがない。
【００１０】
各第２のフラップの第２の開口縁とは反対側の端部の両端を、４つの湾曲状差し込み孔に対応して湾曲させることもできる。このように構成すると、第２のフラップの４つの湾曲状差し込み孔への挿入を円滑に行うことができる。
【発明の効果】
【００１１】
以上のように、本発明による箱は、組み立てが容易で、しかも、組み立てた後に自然にフラップが開くことをより確実に防止することができ、また破損しにくい。
【図面の簡単な説明】
【００１２】
【図１】本発明の１実施形態の段ボール箱の組み立て過程を示す図である。
【図２】図１の段ボール箱の係合部の拡大平面図である。
【図３】図１の段ボール箱の短辺フラップの拡大斜視図である。
【図４】図１の段ボール箱の部分省略平面図である。
【図５】図１の段ボール箱の展開図である。
【発明を実施するための形態】
【００１３】
本発明の一実施形態の箱は、例えば段ボール紙製で、図１（ａ）に示すように本体部２を有している。本体部２は、所定の間隔を隔てて平行に位置する同一の矩形、例えば長方形状の２つの側壁４ａ、４ｂを有している。これら側壁４ａ、４ｂそれぞれの両端に連なって端壁６ａ、６ｂが形成されている。端壁６ａ、６ｂも、同一の矩形、例えば長方形状で、互いに平行に、かつ側壁４ａ、４ｂと直交して位置する。即ち、側壁４ａ、４ｂは、端壁６ａ、６ｂと隣接し、枠状に構成されている。この本体部２は、後述するように裁断された段ボール紙を折り曲げることによって形成される。
【００１４】
側壁４ａ、４ｂ、端壁６ａ、６ｂによって構成された本体部２の上下には、それぞれ矩形、例えば長方形状の２つの開口が形成されている。これら２つの開口は、対向する２つの第１の開口縁、例えば長辺開口縁８ａ、８ｂ、１０ａ、１０ｂを側壁４ａ、４ｂの上下両端にそれぞれ有している。また、長辺開口縁８ａ、８ｂと直交し、かつ互いに対向する２つの第２の開口縁、例えば短辺開口縁１２ａ、１２ｂ、１４ａ、１４ｂが、端壁６ａ、６ｂの上限両端に形成されている。
【００１５】
長辺開口縁８ａ、８ｂに連ねて、２つの第１のフラップ、例えば長辺フラップ１６ａ、１６ｂが形成されている。長辺フラップ１６ａ、１６ｂは、長辺開口縁８ａ、８ｂ、短辺開口縁１２ａ、１２ｂによって囲われた長方形状の開口（２つの開口のうち一方の開口）を、被うことができる２つの同一形状の長方形状に形成されている。これら長辺フラップ１６ａ、１６ｂは、図１（ｂ）に示すように、長辺開口８ａ、８ｂで折り曲げられて、上記の長方形状の開口を被っている。
【００１６】
長辺フラップ１６ａには、湾曲状差し込み孔１８ａ、１８ｂが形成され、長辺フラップ１６ｂには、湾曲状差し込み孔１８ｃ、１８ｄが形成されている。湾曲状差し込み孔１８ａ、１８ｂ、１８ｃ、１８ｄは、いずれも例えば同一径のほぼ１／４円の円弧状に長辺フラップ１６ａ、１６ｂを切り欠いて形成されている。湾曲状差し込み孔１８ａ、１８ｂの一端は、長辺フラップ１６ａの両端側の長辺開口８ａの近傍に位置している。また、湾曲状差し込み孔１８ａ、１８ｂの他端は長辺フラップ８ａの先端側（長辺開口８ａと反対の縁側）に、長辺開口８ａから離れて位置している。これら湾曲状差し込み孔１８ａ、１８ｂは、長辺フラップ１６ａの両端縁（短辺開口縁１２ａ１２ｂ）側に凹に形成されている。即ち、これら湾曲状差し込み孔１８ａ、１８ｂの中心は、長辺フラップ１６ａの両端縁（短辺開口縁１２ａ１２ｂ）側に位置している。これら湾曲状差し込み孔１８ａ、１８ｂの厚さｔ（図２参照）は、均一で、この箱を構成している段ボール紙の厚みのほぼ倍である。
【００１７】
なお、湾曲状差し込み孔１８ａ、１８ｂは、長辺フラップ８ａにおいて長辺開口縁８ａの中央を通り長辺開口８ａに垂直な対称軸に対して線対称に形成されている。同様に、湾曲状差し込み孔１８ｃ、１８ｄも長辺フラップ８ｂに形成されている。そして、湾曲状差し込み孔１８ａと１８ｃとは、図１（ｂ）に示すよう長辺フラップ８ａ、８ｂによって開口を閉じた状態において、これら長辺フラップ８ａ、８ｂ上において、短辺開口１２ａ、１２ｂの中央で、短辺開口１２ａ、１２ｂに垂直な対称軸に対して線対称に形成されている。同様に、湾曲状差し込み孔１８ｂ、１８ｄも、同じ対称軸に対して線対称に形成されている。
【００１８】
湾曲状差し込み孔１８ａ、１８ｂ、１８ｃ、１８ｄの他端側端部の長辺フラップ１６ａ、１６ｂの中央側縁部には、係止部２０ａ、２０ｂ、２０ｃ、２０ｄが切り込みによって形成されている。これら係止部２０ａ、２０ｂ、２０ｃ、２０ｄは、湾曲状差し込み孔１８ａ、１８ｂ、１８ｃ、１８ｄの他端側端部の長辺フラップ１６ａ、１６ｂの中央側縁部をほぼ直角三角形状に拡張したもので、図２に拡大して示すように、湾曲状差し込み孔１８ａ、１８ｂ、１８ｃ、１８ｄの長さ寸法Ｌの約１／２の長さＬ１を有し、その底辺が湾曲状差し込み孔１８ａ乃至１８ｄの厚さｔとほぼ同じ長さｔ１を有し、その底辺が長辺開口８ａ、８ｂ側に位置している。
【００１９】
短辺開口縁１２ａ、１２ｂに連ねて、第２のフラップ、例えば短辺フラップ２２ａ、２２ｂが形成されている。これら短辺フラップ２２ａ、２２ｂは、矩形、例えば長方形状に形成され、短辺開口縁１２ａ、１２ｂに沿って一方の開口側に折り曲げられて、長辺フラップ８ａ、８ｂ上に重ねられる。短辺フラップ２２ａの短辺開口縁１２ａから先端までの長さは、図１（ｂ）に示すように長辺フラップ８ａ、８ｂを折り曲げた状態において短辺開口縁１２ａから係止部２０ｂ、２０ｄまでの距離にほぼ等しく形成されている。同様に、短辺フラップ２２ｂの短辺開口１２ｂから先端までの長さも、長辺フラップ８ａ、８ｂを折り曲げた状態において短辺開口縁１２ｂから係止部２０ａ、２０ｃまでの距離にほぼ等しく形成されている。短縁フラップ２２ａ、２２ｂの短辺開口縁１２ａ、１２ｂと反対側の縁部、即ち先端側の縁部の両端には、それぞれ湾曲状部、例えばアール状部２３ａ、２３ｂ、２３ｃ、２３ｄが形成されている。これらアール状部２３ａ乃至２３ｄは、湾曲状差し込み孔１８ａ乃至１８ｄとほぼ同一の形状に形成されている。
【００２０】
短辺フラップ２２ａの先端側には第１切欠２４ａ、２４ｂが、短辺フラップ２２ｂの先端側にも第１切欠２４ｃ、２４ｄが、それぞれ形成されている。これら切欠２４ａ、２４ｂ、２４ｃ、２４ｄは、短辺フラップ２２ａ、２２ｂをほぼ矩形に切り込むことによって形成されている。短辺フラップ２２ａの長辺開口縁８ａ側の端部から、係合部２４ａまでの距離は、長辺フラップ１６ａにおける長辺開口縁８ａから係止部２０ｂまでの距離にほぼ等しく形成され、同様に、短辺フラップ２２ａの長辺開口縁８ｂ側の端部から係合部２４ｂまでの距離は、長辺フラップ８ｂにおける長辺開口縁８ｂから係止部２０ｄまでの距離にほぼ等しく形成され、短辺フラッグ２２ｂの長辺開口縁８ａ側の端部から係合部２４ｃまでの距離は、長辺フラップ１６ａにおける長辺開口縁８ａから係止部２０ａまでの距離にほぼ等しく形成され、同様に、短辺フラップ２２ｂの長辺開口縁８ｂ側の端部から係合部２４ｄまでの距離は、長辺フラップ１６ｂにおける長辺開口縁８ｂから係止部２０ｃまでの距離にほぼ等しく形成されている。
【００２１】
また、図３に示す係合部２４ａの短辺フラップ２２ａの中央側に位置する縁２５ａと短辺フラップ２２ａの長辺開口縁８ａ側の端部との距離は、長辺フラップ１６ａにおける長辺開口縁８ａから係止部２０ｂの底辺までの距離にほぼ等しく形成されている。同様に、係合部２４ｂの短辺フラップ２２ａの中央側に位置する縁２５ｂと短辺フラップ２２ａの長辺開口縁８ｂ側の端部との距離は、長辺フラップ１６ｂにおける長辺開口縁８ｂから係止部２０ｄの底辺までの距離にほぼ等しく形成されている。係合部２４ｃ、２４ｄの短辺フラップ２２ｂの中央側に位置する縁と短辺フラップ２２ｂの長辺開口縁８ａ、８ｂ側の端部との距離は、長辺フラップ１６ａ、１６ｂにおける長辺開口縁８ａ、８ｂから係止部２０ａ、２０ｃの底辺までの距離にほぼ等しく形成されている。
【００２２】
図１（ｃ）に示すように、短辺フラップ２２ａ、２２ｂを短辺開口１２ａ、１２ｂに沿って折り曲げながら、短辺フラップ２２ａ、２２ｂの中途を幾分本体部２側と反対側に折り曲げて、短辺フラップ２２ａ、２２ｂの先端の両側をそれぞれ湾曲状差し込み孔１８ａ、１８ｂ、１８ｃ、１８ｄに挿入する。これによって、図４に拡大して示すように係合部２４ａが係止部２０ｂに係合し、係合部２４ｂが係止部２０ｄに係合し、係合部２４ｃが係止部２０ａに係合し、係合部２４ｄが係止部２０ｃに係合する。差し込み口が湾曲状差し込み孔１８ａ、１８ｂ、１８ｃ、１８ｄのように円弧状に形成され、かつ短辺フラップ２２ａ、２２ｂの先端部両端にはアール状部２３ａ、２３ｂ、２３ｃ、２３ｄが設けられているので、湾曲状差し込み孔１８ａ、１８ｂ、１８ｃ、１８ｄに対する短辺フラップ２２ａ、２２ｂの先端両側部の挿入が、なんら引っかかるものも無く円滑に行われる。また、挿入が行われた後には、短辺フラップ２２ａ、２２ｂの先端両側部が円弧状の差し込み口１８ａ、１８ｂ、１８ｃ、１８ｄより長辺フラップ１６ａ、１６ｂの裏面に面接触し、大きな摩擦によって短辺フラップ２２ａ、２２ｂが図１（ｂ）に示す位置に戻ろうとすることを阻止する。その上に、各係止部２０ａ乃至２０ｄの底辺に係合部２４ａ乃至２４ｄの縁２５ａ乃至２５ｄが係合しているので、より確実に短辺フラップ２２ａ、２２ｂが元の状態に戻ろうとするのを阻止する。また、各係止部２０ａ乃至２０ｄは、図２に示すようにＬ１の長さ寸法を有し、いわゆる幅広であるので容易に第１切欠２４ａ乃至２４ｄと係合することができる。
【００２３】
また、短辺フラップ２２ａの両端縁には、第２切欠３０ａ、３０ｂが形成されている。第２の切欠３０ａから短辺開口１２ａまでの距離は、湾曲状差し込み孔１８ｂの一端部から短辺開口１２ａまでの距離にほぼ等しく形成されている。同様に、第２の切欠３０ｂから短辺開口１２ａまでの距離は、湾曲状差し込み孔１８ｄの一端部から短辺開口１２ａまでの距離にほぼ等しく形成されている。また短辺フラップ２２ｂの両端縁にも第２の切欠３０ｃ、３０ｄが形成されている。第２の切欠３０ｃから短辺開口１２ｂまでの距離は、湾曲状差し込み孔１８ａの一端部から短辺開口１２ｂでの距離にほぼ等しく形成されている。第２の切欠３０ｄから短辺開口１２ｂまでの距離は、湾曲状差し込み孔１８ｃの一端部から短辺開口１２ｂでの距離にほぼ等しく形成されている。
【００２４】
従って、上述したように、短辺フラップ２２ａ、２２ｂの先端の両側をそれぞれ湾曲状差し込み孔１８ａ、１８ｂ、１８ｃ、１８ｄに挿入したとき、図４に拡大して示すように第２の切欠３０ａ、３０ｂ、３０ｃ、３０ｄが湾曲状差し込み孔１８ｂ、１８ｄ、１８ａ、１８ｃの一端部に係合される。従って、湾曲状差し込み孔１８ｂ、１８ｄ、１８ａ、１８ｃの両端に、第１及び第２の切欠２４ａ乃至２４ｄ、３０ａ乃至３０ｄによって短辺フラップ２２ａ、２２ｂは係合されるので、確実に短辺フラップ２２ａ、２２ｂが元の状態に戻ろうとするのを阻止することができる。
【００２５】
このようにして段ボール箱の例えば底部が形成される。従って、段ボール箱内に重量物を収容した場合、その重量は、底部を構成している長辺フラップ１６ａ、１６ｂや短辺フラップ２２ａ、２２ｂに係るが、その重量によって底部が抜けることを防止できる。
【００２６】
本体部２の他方の開口の長辺開口縁１０ａ、１０ｂ、短辺開口縁１４ａ、１４ｂにそれぞれ連ねて、長辺蓋フラップ２６ａ、２６ｂ、短辺蓋フラップ２８ａ、２８ｂが一体に形成されている。これらは、図１（ｄ）に示すように、それぞれ矩形、例えば長方形状に形成され、長辺開口縁１０ａ、１０ｂ、短辺開口縁１４ａ、１４ｂに沿って折り曲げられ、蓋を構成している。なお、図１では、長辺蓋フラップ２６ａ、２６ｂ、短辺蓋フラップ２８ａ、２８ｂを最後に折曲げるように示したが、最初に折曲げることもできる。
【００２７】
このような段ボール箱は、図５に示すように段ボール紙を裁断したものを利用して形成される。図５において、上述した各構成に対応する部分には同一符号を付してある。なお、符号３２で示すのは、この裁断された段ボール紙を折り曲げて本体部２を作成する際に、折り曲げた段ボールを接着するための糊代部分である。また、端壁６ａ、６ｂには、この箱を運搬する作業員が指をかけるための長孔３４ａ、３４ｂが形成されている。
【００２８】
上記の実施形態では、段ボール箱は、直方体状のものを示したが、立方体状に形成することもできる。また、上記の実施形態では、円弧状差し込み口を利用したフラップの固定は、本体部２の一方の開口のみに行ったが、他方の開口も同様に円弧状の差し込み口を利用して固定することもできる。上記の実施形態では、段ボール紙によって、箱を形成したが、材料としては、段ボール紙以外の材質のもの、例えば樹脂や金属を使用することもできる。
【符号の説明】
【００２９】
２  本体部
４ａ、４ｂ  側壁
６ａ  ６ｂ  端壁
８ａ  ８ｂ  長辺開口縁（第１の開口縁）
１２ａ  １２ｂ  短辺開口縁（第２の開口縁）
１６ａ  １６ｂ  長辺フラップ（第１のフラップ）
１８ａ乃至１８ｄ  円弧状差し込み部
２０ａ乃至２０ｄ  係合部
２２ａ、２２ｂ  短辺フラップ（第２のフラップ）
２４ａ乃至２４ｄ  第１切欠
【図１】
2011121620.tif 000003
【図２】
2011121620.tif 000004
【図３】
2011121620.tif 000005
【図４】
2011121620.tif 000006
【図５】
2011121620.tif 000007